(57)【特許請求の範囲】
【請求項１】
合成樹脂製の背面シート１に下端折線２を介して合成樹脂製の表面シート３を折返し、背面シート１の上部露出面４が表面シート３の上端縁５より上方に位置すると共に背面シート１の背面両端縁６，６と表面シート３の表面両端縁７，７とを接合して上端縁５に開口部８を設けて収納部９を備えた袋体１０を形成し、且つ袋体１０の下両端に下切欠裁断部１１，１１を設けると共に上端縁５より離れて上方に位置した上両端に第１上切欠裁断部１２，１２を設け、更に背面シート１の表面で下切欠裁断部１１，１１間に感圧性接着下層１３を設け、該感圧性接着下層１３には上下が感圧性接着下層１３より食み出した剥離紙下層１４を設けると共に背面シート１の表面で第１上切欠裁断部１２，１２間に第１感圧性接着上層１５を設け、該第１感圧性接着上層１５には上下が第１感圧性接着下層１５より食み出した第１剥離紙上層１６を設けたことを特徴とする書類収納体。
【請求項２】
合成樹脂製の背面シート１に下端折線２を介して合成樹脂製の表面シート３を折返し、背面シート１の上部露出面４が表面シート３の上端縁５より上方に位置すると共に背面シート１の背面両端縁６，６と表面シート３の表面両端縁７，７とを接合して上端縁５に開口部８を設けて収納部９を備えた袋体１０を形成し、且つ袋体１０の下両端に下切欠裁断部１１，１１を設け、上端縁５に近接すると共に上端縁５より上方に位置した上両端に第２上切欠裁断部１７，１７を設け、更に背面シート１の表面で下切欠裁断部１１，１１間に感圧性接着下層１３を設け、該感圧性接着下層１３には上下が感圧性接着下層１３より食み出した剥離紙下層１４を設けると共に背面シート１の表面で第２上切欠裁断部１７，１７間の上端縁５に近接した位置に第２感圧性接着上層１８を設け、該第２感圧性接着上層１８には上下が第２感圧性接着上層１８より食み出した第２剥離紙上層１９を設け、且又背面シート１の第２感圧性接着上層１８より上方に位置した部分を上端部２０が開口部８より収納部９内に折込まれる折込みシート部２１を形成したことを特徴とする書類収納体。
【請求項３】
表面シート３の上端縁５の両端に位置して円弧状切欠凹部２２，２２を設けたことを特徴とする請求項１又は請求項２記載の書類収納体。
【請求項４】
合成樹脂製の帯状シート２３を下端折線２を介して折返し、背面シート１の形成用である第１帯状面２４と、第１帯状面２４より小幅である表面シート３の形成用である第２帯状面２５を備えた帯状の折畳みシート２６を形成する工程と、次に折畳みシート２６の第１帯状面２４で下端折線２に近接した位置に剥離紙下層１４の形成用である帯状剥離紙下層２７を備えた感圧性接着下層１３の形成用である帯状感圧性接着下層２８を貼着する工程と、次に折畳みシート２６の第１帯状面２４で上端部２０に近接した位置に第１剥離紙上層１６の形成用である帯状第１剥離紙上層２９を備えた第１感圧性接着上層１５の形成用である帯状第１感圧性接着上層３０を貼着する工程と、次に帯状剥離紙下層２７を備えた帯状感圧性接着下層２８を含み折畳みシート２６の下端部を切断して下切欠裁断部１１，１１の形成用である下切欠裁断凹部３１，３１・・・を順次折畳みシート２６の長手方向に間隔Ｆを有して設けると共に下切欠裁断凹部３１，３１・・・に対応した折畳みシート２６の上端部を帯状第１剥離紙上層２９を備えた帯状第１剥離紙上層２９を含み切断して第１上切欠裁断部１２，１２の形成用である第１上切欠裁断凹部３２，３２を設けた工程と、次に下切欠裁断凹部３１と第１上切欠裁断凹部３２間とを切断すると共に背面シート１の背面両端縁６，６と表面シート３の表面両端縁７，７とをヒートシール接合して上端縁５に開口部８を設けて収納部９を備えた袋体１０を形成する工程とより成ることを特徴とする書類収納体の製造方法。
【請求項５】
合成樹脂製の帯状シート２３を下端折線２を介して折返し、背面シート１の形成用である第１帯状面２４と、第１帯状面２４より小幅である表面シート３の形成用である第２帯状面２５を備えた帯状の折畳みシート２６を形成する工程と、次に折畳みシート２６の第１帯状面２４で下端折線２に近接した位置に剥離紙下層１４の形成用である帯状剥離紙下層２７を備えた感圧性接着下層１３の形成用である帯状感圧性接着下層２８を貼着する工程と、次に折畳みシート２６の第１帯状面２４で上端部２０より下方で表面シート３の形成用である第２帯状面２５よりやや上方の位置に第２剥離紙上層１９の形成用である帯状第２剥離紙上層３３を備えた第２感圧性接着上層１８の形成用である帯状第１感圧性接着上層３４を貼着する工程と、次に帯状剥離紙下層２７を備えた帯状感圧性接着下層２８を含み折畳みシート２６の下端部を切断して下切欠裁断部１１，１１の形成用である下切欠裁断凹部３１，３１・・・を順次折畳みシート２６の長手方向に間隔Ｆを有して設けると共に下切欠裁断凹部３１，３１・・・に対応した折畳みシート２６の上端部を帯状第２剥離紙上層３３を備えた帯状第２剥離紙上層３３を含み切断して第２上切欠裁断部１７，１７の形成用である第２上切欠裁断凹部３５，３５を設けた工程と、次に下切欠裁断凹部３１と第２上切欠裁断凹部３５間とを切断すると共に背面シート１の背面両端縁６，６と表面シート３の表面両端縁７，７とをヒートシール接合して上端縁５に開口部８を設けて収納部９を備え、且つ背面シート１の第２感圧性接着上層１８より上方に位置した部分を上端部２０が開口部８より収納部９内に折込まれる折込みシート部２１を備えた袋体１０を形成する工程とより成ることを特徴とする書類収納体の製造方法。
【発明の詳細な説明】
【０００１】
【産業上の利用分野】
この発明はノート又はファイル等の開閉する裏紙、表紙又は適宜の台紙に貼着して使用する書類収納体及びその製造方法に関するものである。
【０００２】
【従来の技術】
従来よりメモ紙等の書類に記載した事項をノート又はファイルに挟んだままにしておくことは知られている。
【０００３】
【発明が解決しようとする問題点】
ところでメモ紙等の書類に記載した事項を後でノートに移し替えるまでの間ノートに挟んだままにしておき、又はファイルに綴じ込むことが面倒でノートの使用と同様にメモ紙等の書類を挟んだままにしておくことで紛失する等のことが多々あるものである。
【０００４】
この発明は上記の問題点を解決したものであり、使用便利であると共に製作容易な書類収納体及びその製造方法を得ることを目的としたものである。
【０００５】
【問題点を解決するための手段】
上記の目的を達成するためこの発明は、合成樹脂製の背面シート１に下端折線２を介して合成樹脂製の表面シート３を折返し、背面シート１の上部露出面４が表面シート３の上端縁５より上方に位置すると共に背面シート１の背面両端縁６，６と表面シート３の表面両端縁７，７とを接合して上端縁５に開口部８を設けて収納部９を備えた袋体１０を形成し、且つ袋体１０の下両端に下切欠裁断部１１，１１を設けると共に上端縁５より離れて上方に位置した上両端に第１上切欠裁断部１２，１２を設け、更に背面シート１の表面で下切欠裁断部１１，１１間に感圧性接着下層１３を設け、該感圧性接着下層１３には上下が感圧性接着下層１３より食み出した剥離紙下層１４を設けると共に背面シート１の表面で第１上切欠裁断部１２，１２間に第１感圧性接着上層１５を設け、該第１感圧性接着上層１５には上下が第１感圧性接着下層１５より食み出した第１剥離紙上層１６を設けたものである。
【０００６】
又、合成樹脂製の背面シート１に下端折線２を介して合成樹脂製の表面シート３を折返し、背面シート１の上部露出面４が表面シート３の上端縁５より上方に位置すると共に背面シート１の背面両端縁６，６と表面シート３の表面両端縁７，７とを接合して上端縁５に開口部８を設けて収納部９を備えた袋体１０を形成し、且つ袋体１０の下両端に下切欠裁断部１１，１１を設け、上端縁５に近接すると共に上端縁５より上方に位置した上両端に第２上切欠裁断部１７，１７を設け、更に背面シート１の表面で下切欠裁断部１１，１１間に感圧性接着下層１３を設け、該感圧性接着下層１３には上下が感圧性接着下層１３より食み出した剥離紙下層１４を設けると共に背面シート１の表面で第２上切欠裁断部１７，１７間の上端縁５に近接した位置に第２感圧性接着上層１８を設け、該第２感圧性接着上層１８には上下が第２感圧性接着上層１８より食み出した第２剥離紙上層１９を設け、且又背面シート１の第２感圧性接着上層１８より上方に位置した部分を上端部２０が開口部８より収納部９内に折込まれる折込みシート部２１を形成したものである。
【０００７】
又、表面シート３の上端縁５の両端に位置して円弧状切欠凹部２２，２２を設けたものである。
【０００８】
又、その製造方法は、合成樹脂製の帯状シート２３を下端折線２を介して折返し、背面シート１の形成用である第１帯状面２４と、第１帯状面２４より小幅である表面シート３の形成用である第２帯状面２５を備えた帯状の折畳みシート２６を形成する工程と、次に折畳みシート２６の第１帯状面２４で下端折線２に近接した位置に剥離紙下層１４の形成用である帯状剥離紙下層２７を備えた感圧性接着下層１３の形成用である帯状感圧性接着下層２８を貼着する工程と、次に折畳みシート２６の第１帯状面２４で上端部２０に近接した位置に第１剥離紙上層１６の形成用である帯状第１剥離紙上層２９を備えた第１感圧性接着上層１５の形成用である帯状第１感圧性接着上層３０を貼着する工程と、次に帯状剥離紙下層２７を備えた帯状感圧性接着下層２８を含み折畳みシート２６の下端部を切断して下切欠裁断部１１，１１の形成用である下切欠裁断凹部３１，３１・・・を順次折畳みシート２６の長手方向に間隔Ｆを有して設けると共に下切欠裁断凹部３１，３１・・・に対応した折畳みシート２６の上端部を帯状第１剥離紙上層２９を備えた帯状第１剥離紙上層２９を含み切断して第１上切欠裁断部１２，１２の形成用である第１上切欠裁断凹部３２，３２を設けた工程と、次に下切欠裁断凹部３１と第１上切欠裁断凹部３２間とを切断すると共に背面シート１の背面両端縁６，６と表面シート３の表面両端縁７，７とをヒートシール接合して上端縁５に開口部８を設けて収納部９を備えた袋体１０を形成する工程とより成るものである。
【０００９】
又、合成樹脂製の帯状シート２３を下端折線２を介して折返し、背面シート１の形成用である第１帯状面２４と、第１帯状面２４より小幅である表面シート３の形成用である第２帯状面２５を備えた帯状の折畳みシート２６を形成する工程と、次に折畳みシート２６の第１帯状面２４で下端折線２に近接した位置に剥離紙下層１４の形成用である帯状剥離紙下層２７を備えた感圧性接着下層１３の形成用である帯状感圧性接着下層２８を貼着する工程と、次に折畳みシート２６の第１帯状面２４で上端部２０より下方で表面シート３の形成用である第２帯状面２５よりやや上方の位置に第２剥離紙上層１９の形成用である帯状第２剥離紙上層３３を備えた第２感圧性接着上層１８の形成用である帯状第１感圧性接着上層３４を貼着する工程と、次に帯状剥離紙下層２７を備えた帯状感圧性接着下層２８を含み折畳みシート２６の下端部を切断して下切欠裁断部１１，１１の形成用である下切欠裁断凹部３１，３１・・・を順次折畳みシート２６の長手方向に間隔Ｆを有して設けると共に下切欠裁断凹部３１，３１・・・に対応した折畳みシート２６の上端部を帯状第２剥離紙上層３３を備えた帯状第２剥離紙上層３３を含み切断して第２上切欠裁断部１７，１７の形成用である第２上切欠裁断凹部３５，３５を設けた工程と、次に下切欠裁断凹部３１と第２上切欠裁断凹部３５間とを切断すると共に背面シート１の背面両端縁６，６と表面シート３の表面両端縁７，７とをヒートシール接合して上端縁５に開口部８を設けて収納部９を備え、且つ背面シート１の第２感圧性接着上層１８より上方に位置した部分を上端部２０が開口部８より収納部９内に折込まれる折込みシート部２１を備えた袋体１０を形成する工程とより成るものである。
【００１０】
【実施例】
以下図面についてこの発明の第１、第３実施例を説明すると、合成樹脂製の背面シート１に下端折線２を介して合成樹脂製の表面シート３を折返し、背面シート１の上部露出面４が表面シート３の上端縁５より上方に位置すると共に背面シート１の背面両端縁６，６と表面シート３の表面両端縁７，７とを接合して上端縁５に開口部８を設けて収納部９を備えた袋体１０を形成し、且つ袋体１０の下両端に下切欠裁断部１１，１１を設けると共に上端縁５より離れて上方に位置した上両端に第１上切欠裁断部１２，１２を設け、更に背面シート１の表面で下切欠裁断部１１，１１間に感圧性接着下層１３を設け、該感圧性接着下層１３には上下が感圧性接着下層１３より食み出した剥離紙下層１４を設けると共に背面シート１の表面で第１上切欠裁断部１２，１２間に第１感圧性接着上層１５を設け、該第１感圧性接着上層１５には上下が第１感圧性接着下層１５より食み出した第１剥離紙上層１６を設けたものであり、且つ第３実施例に於いては表面シート３の上端縁５の両端に位置して円弧状切欠凹部２２，２２を設けたものである。
【００１１】
又、第２、第４、第５実施例を説明すると、合成樹脂製の背面シート１に下端折線２を介して合成樹脂製の表面シート３を折返し、背面シート１の上部露出面４が表面シート３の上端縁５より上方に位置すると共に背面シート１の背面両端縁６，６と表面シート３の表面両端縁７，７とを接合して上端縁５に開口部８を設けて収納部９を備えた袋体１０を形成し、且つ袋体１０の下両端に下切欠裁断部１１，１１を設け、上端縁５に近接すると共に上端縁５より上方に位置した上両端に第２上切欠裁断部１７，１７を設け、更に背面シート１の表面で下切欠裁断部１１，１１間に感圧性接着下層１３を設け、該感圧性接着下層１３には上下が感圧性接着下層１３より食み出した剥離紙下層１４を設けると共に背面シート１の表面で第２上切欠裁断部１７，１７間の上端縁５に近接した位置に第２感圧性接着上層１８を設け、該第２感圧性接着上層１８には上下が第２感圧性接着上層１８より食み出した第２剥離紙上層１９を設け、且又背面シート１の第２感圧性接着上層１８より上方に位置した部分を上端部２０が開口部８より収納部９内に折線部３８を介して折込まれる折込みシート部２１を形成したものであり、且つ第４実施例に於いては表面シート３の上端縁５の両端に位置して円弧状切欠凹部２２，２２を設けたものである。
【００１２】
又、その製造方法は、第１、第３実施例に於いては合成樹脂製の帯状シート２３を下端折線２を介して折返し、背面シート１の形成用である第１帯状面２４と、第１帯状面２４より小幅である表面シート３の形成用である第２帯状面２５を備えた帯状の折畳みシート２６を形成する工程と、次に折畳みシート２６の第１帯状面２４で下端折線２に近接した位置に剥離紙下層１４の形成用である帯状剥離紙下層２７を備えた感圧性接着下層１３の形成用である帯状感圧性接着下層２８を貼着する工程と、次に折畳みシート２６の第１帯状面２４で上端部２０に近接した位置に第１剥離紙上層１６の形成用である帯状第１剥離紙上層２９を備えた第１感圧性接着上層１５の形成用である帯状第１感圧性接着上層３０を貼着する工程と、次に帯状剥離紙下層２７を備えた帯状感圧性接着下層２８を含み折畳みシート２６の下端部を切断して下切欠裁断部１１，１１の形成用である下切欠裁断凹部３１，３１・・・を順次折畳みシート２６の長手方向に間隔Ｆを有して設けると共に下切欠裁断凹部３１，３１・・・に対応した折畳みシート２６の上端部を帯状第１剥離紙上層２９を備えた帯状第１剥離紙上層２９を含み切断して第１上切欠裁断部１２，１２の形成用である第１上切欠裁断凹部３２，３２を設けた工程と、次に下切欠裁断凹部３１と第１上切欠裁断凹部３２間とを切断すると共に背面シート１の背面両端縁６，６と表面シート３の表面両端縁７，７とをヒートシール接合して上端縁５に開口部８を設けて収納部９を備えた袋体１０を形成する工程とより成るものであり、又更に第３実施例では表面シート３の上端縁５の両端に位置して円弧状切欠凹部２２，２２を設ける工程を追加するものである。
【００１３】
又、第２、第４、第５実施例に於いては合成樹脂製の帯状シート２３を下端折線２を介して折返し、背面シート１の形成用である第１帯状面２４と、第１帯状面２４より小幅である表面シート３の形成用である第２帯状面２５を備えた帯状の折畳みシート２６を形成する工程と、次に折畳みシート２６の第１帯状面２４で下端折線２に近接した位置に剥離紙下層１４の形成用である帯状剥離紙下層２７を備えた感圧性接着下層１３の形成用である帯状感圧性接着下層２８を貼着する工程と、次に折畳みシート２６の第１帯状面２４で上端部２０より下方で表面シート３の形成用である第２帯状面２５よりやや上方の位置に第２剥離紙上層１９の形成用である帯状第２剥離紙上層３３を備えた第２感圧性接着上層１８の形成用である帯状第１感圧性接着上層３４を貼着する工程と、次に帯状剥離紙下層２７を備えた帯状感圧性接着下層２８を含み折畳みシート２６の下端部を切断して下切欠裁断部１１，１１の形成用である下切欠裁断凹部３１，３１・・・を順次折畳みシート２６の長手方向に間隔Ｆを有して設けると共に下切欠裁断凹部３１，３１・・・に対応した折畳みシート２６の上端部を帯状第２剥離紙上層３３を備えた帯状第２剥離紙上層３３を含み切断して第２上切欠裁断部１７，１７の形成用である第２上切欠裁断凹部３５，３５を設けた工程と、次に下切欠裁断凹部３１と第２上切欠裁断凹部３５間とを切断すると共に背面シート１の背面両端縁６，６と表面シート３の表面両端縁７，７とをヒートシール接合して上端縁５に開口部８を設けて収納部９を備え、且つ背面シート１の第２感圧性接着上層１８より上方に位置した部分を上端部２０が開口部８より収納部９内に折込まれる折込みシート部２１を備えた袋体１０を形成する工程とより成るものであり、又更に第４実施例では表面シート３の上端縁５の両端に位置して円弧状切欠凹部２２，２２を設ける工程を追加するものである。
【００１４】
なお、袋体１０の形成は図９、図１７に図示した連続した形成に限定されるものではない。
【００１５】
又、３６は貼着板であり、３７は書類である。
【００１６】
【発明の作用効果】
この発明は以上のような構成であり、合成樹脂製の背面シート１に下端折線２を介して合成樹脂製の表面シート３を折返し、背面シート１の上部露出面４が表面シート３の上端縁５より上方に位置すると共に背面シート１の背面両端縁６，６と表面シート３の表面両端縁７，７とを接合して上端縁５に開口部８を設けて収納部９を備えた袋体１０を形成しことにより、ノート又はファイル及び台紙等の貼着板３６に貼着して使用し、メモ紙等の書類３７を収納部９に入れて書類の紛失を阻止するものである。
【００１７】
又、第１実施例及び第３実施例において、袋体１０のノート又はファイル及び台紙等の貼着板３６への貼着操作は袋体１０の下両端に下切欠裁断部１１，１１を設けると共に上端縁５より離れて上方に位置した上両端に第１上切欠裁断部１２，１２を設け、更に背面シート１の表面で下切欠裁断部１１，１１間に感圧性接着下層１３を設け、該感圧性接着下層１３には上下が感圧性接着下層１３より食み出した剥離紙下層１４を設けると共に背面シート１の表面で第１上切欠裁断部１２，１２間に第１感圧性接着上層１５を設け、該第１感圧性接着上層１５には上下が第１感圧性接着下層１５より食み出した第１剥離紙上層１６を設けたことにより食み出した部分を指先で摘んでの剥離紙下層１４と第１剥離紙上層１６との剥離が容易であって取扱いが極めて便利で、貼着板３６への袋体１０の貼着を簡便に行うことがとができるものである。
【００１８】
又、第１実施例及び第３実施例において、袋体１０の収納部９に入れる書類３７が多くなり厚くなった際は袋体１０の下両端に下切欠裁断部１１，１１を設けると共に上端縁５より離れて上方に位置した上両端に第１上切欠裁断部１２，１２を設けたことによって袋体１０の厚みを出すことができて書類３７の収納を多くすることが出来るものである。
【００１９】
又、第２実施例、第４実施例及び第５実施例において、袋体１０の下両端に下切欠裁断部１１，１１を設け、上端縁５に近接すると共に上端縁５より上方に位置した上両端に第２上切欠裁断部１７，１７を設け、更に背面シート１の表面で下切欠裁断部１１，１１間に感圧性接着下層１３を設け、該感圧性接着下層１３には上下が感圧性接着下層１３より食み出した剥離紙下層１４を設けると共に背面シート１の表面で第２上切欠裁断部１７，１７間の上端縁５に近接した位置に第２感圧性接着上層１８を設け、該第２感圧性接着上層１８には上下が第２感圧性接着上層１８より食み出した第２剥離紙上層１９を設けたことにより食み出した部分を指先で摘んでの剥離紙下層１４と第２剥離紙上層１９との剥離が容易であって取扱いが極めて便利で、貼着板３６への袋体１０の貼着を簡便に行うことがとができるものである。
【００２０】
又、第２実施例、第４実施例及び第５実施例において、袋体１０の収納部９に入れる書類３７が多くなり厚くなった際は袋体１０の下両端に下切欠裁断部１１，１１を設けると共に上端縁５に近接した位置より上方に位置した上両端に第２上切欠裁断部１７，１７を設けたことによって袋体１０の厚みを出すことができて収納を多くすることが出来るものである。
【００２１】
又、第２実施例、第４実施例及び第５実施例において、背面シート１の第２感圧性接着上層１８より上方に位置した部分を上端部２０が開口部８より収納部９内に折込まれる折込みシート部２１を形成したので収納部９に書類３７を入れた後に折込みシート部２１を折込み書類３７の脱落を阻止することが出来るものでる。
【００２２】
又、第３実施例及び第４実施例において、表面シート３の上端縁５の両端に位置して円弧状切欠凹部２２，２２を設けたことで上端縁５を引張り開口部８を開く際に表面シート３と背面シート１の接着部にその接着を離す力が働かず収納部９の破損を長期に亘り防止するものであり、図示していないが第５実施例の袋体１０にも円弧状切欠凹部２２，２２を設けば収納部９の破損を長期に亘り防止するものである。
【００２３】
又、第１実施例及び第３実施例において、その製造方法は、合成樹脂製の帯状シート２３を下端折線２を介して折返し、背面シート１の形成用である第１帯状面２４と、第１帯状面２４より小幅である表面シート３の形成用である第２帯状面２５を備えた帯状の折畳みシート２６を形成する工程と、次に折畳みシート２６の第１帯状面２４で下端折線２に近接した位置に剥離紙下層１４の形成用である帯状剥離紙下層２７を備えた感圧性接着下層１３の形成用である帯状感圧性接着下層２８を貼着する工程と、次に折畳みシート２６の第１帯状面２４で上端部２０に近接した位置に第１剥離紙上層１６の形成用である帯状第１剥離紙上層２９を備えた第１感圧性接着上層１５の形成用である帯状第１感圧性接着上層３０を貼着する工程と、次に帯状剥離紙下層２７を備えた帯状感圧性接着下層２８を含み折畳みシート２６の下端部を切断して下切欠裁断部１１，１１の形成用である下切欠裁断凹部３１，３１・・・を順次折畳みシート２６の長手方向に間隔Ｆを有して設けると共に下切欠裁断凹部３１，３１・・・に対応した折畳みシート２６の上端部を帯状第１剥離紙上層２９を備えた帯状第１剥離紙上層２９を含み切断して第１上切欠裁断部１２，１２の形成用である第１上切欠裁断凹部３２，３２を設けた工程と、次に下切欠裁断凹部３１と第１上切欠裁断凹部３２間とを切断すると共に背面シート１の背面両端縁６，６と表面シート３の表面両端縁７，７とをヒートシール接合して上端縁５に開口部８を設けて収納部９を備えた袋体１０を形成する工程とより成るもので、感圧性接着下層１３と第１感圧性接着上層１５を備えた袋体１０の大量生産に適し安価に提供出来るものである。
【００２４】
又、第２実施例、第３実施例及び第５実施例において、その製造方法は、合成樹脂製の帯状シート２３を下端折線２を介して折返し、背面シート１の形成用である第１帯状面２４と、第１帯状面２４より小幅である表面シート３の形成用である第２帯状面２５を備えた帯状の折畳みシート２６を形成する工程と、次に折畳みシート２６の第１帯状面２４で下端折線２に近接した位置に剥離紙下層１４の形成用である帯状剥離紙下層２７を備えた感圧性接着下層１３の形成用である帯状感圧性接着下層２８を貼着する工程と、次に折畳みシート２６の第１帯状面２４で上端部２０より下方で表面シート３の形成用である第２帯状面２５よりやや上方の位置に第２剥離紙上層１９の形成用である帯状第２剥離紙上層３３を備えた第２感圧性接着上層１８の形成用である帯状第１感圧性接着上層３４を貼着する工程と、次に帯状剥離紙下層２７を備えた帯状感圧性接着下層２８を含み折畳みシート２６の下端部を切断して下切欠裁断部１１，１１の形成用である下切欠裁断凹部３１，３１・・・を順次折畳みシート２６の長手方向に間隔Ｆを有して設けると共に下切欠裁断凹部３１，３１・・・に対応した折畳みシート２６の上端部を帯状第２剥離紙上層３３を備えた帯状第２剥離紙上層３３を含み切断して第２上切欠裁断部１７，１７の形成用である第２上切欠裁断凹部３５，３５を設けた工程と、次に下切欠裁断凹部３１と第２上切欠裁断凹部３５間とを切断すると共に背面シート１の背面両端縁６，６と表面シート３の表面両端縁７，７とをヒートシール接合して上端縁５に開口部８を設けて収納部９を備え、且つ背面シート１の第２感圧性接着上層１８より上方に位置した部分を上端部２０が開口部８より収納部９内に折込まれる折込みシート部２１を備えた袋体１０を形成する工程とより成るもので、感圧性接着下層１３と第２感圧性接着上層１８を備えた袋体１０の大量生産に適し安価に提供出来るものである。
【００２５】
この発明は構造が極めて簡単であると共に加工に伴う製法が容易であり、メモ紙等の書類の紛失を阻止して使用便利であると共に製作容易で安価大量生産に適する等幾多の産業的効果を奏するものである。
【図面の簡単な説明】
【図１】第１実施例の正面図である。
【図２】第１実施例の背面図である。
【図３】図１におけるＡ−Ａ断面図である。
【図４】図１におけるＢ−Ｂ断面図である。
【図５】第１実施例における使用状態を示した正面図である。
【図６】第１実施例の製造工程における帯状シートの一部を示した平面図である。
【図７】第１実施例の製造工程における折畳みシートの一部を示した平面図である。
【図８】第１実施例の製造工程における折畳みシートに帯状剥離紙下層を備えた帯状感圧性接着下層と帯状第１剥離紙上層を備えた帯状第１剥離紙上層を取付けた状態を示した平面図である。
【図９】第１実施例の製造工程における帯状剥離紙下層を備えた帯状感圧性接着下層と帯状第１剥離紙上層を備えた帯状第１剥離紙上層を取付けた折畳みシートを切断して袋体を形成する状態を示した平面図である。
【図１０】第２実施例の正面図である。
【図１１】第２実施例の背面図である。
【図１２】図２におけるＡ−Ａ断面図である。
【図１３】第２実施例の蓋体を施した状態を示した正面図である。
【図１４】図１３におけるＡ−Ａ断面図である。
【図１５】第２実施例における使用状態を示した正面図である。
【図１６】第２実施例の製造工程における折畳みシートに帯状剥離紙下層を備えた帯状感圧性接着下層と帯状第２剥離紙上層を備えた帯状第２剥離紙上層を取付けた状態を示した平面図である。
【図１７】第２実施例の製造工程における帯状剥離紙下層を備えた帯状感圧性接着下層と帯状第２剥離紙上層を備えた帯状第２剥離紙上層を取付けた折畳みシートを切断して袋体を形成する状態を示した平面図である。
【図１８】第３実施例の正面図である。
【図１９】第３実施例の背面図である。
【図２０】第３実施例における使用状態を示した正面図である。
【図２１】第４実施例の正面図である。
【図２２】第４実施例の背面図である。
【図２３】第４実施例の蓋体を施した説明図である。
【図２４】第４実施例における使用状態を示した正面図である。
【図２５】第５実施例の正面図である。
【符号の説明】
１  背面シート
２  下端折線
３  表面シート
４  上部露出面
５  上端縁
６  背面両端縁
７  表面両端縁
８  開口部
９  収納部
１０  袋体
１１  下切欠裁断部
１２  第１上切欠裁断部
１３  感圧性接着下層
１４  剥離紙下層
１５  第１感圧性接着上層
１６  第１剥離紙上層
１７  第２上切欠裁断部
１８  第２感圧性接着上層
１９  第２剥離紙上層
２０  上端部
２１  折込みシート部
２２  円弧状切欠凹部
２３  帯状シート
２４  第１帯状面
２５  第２帯状面
２６  折畳みシート
２７  帯状剥離紙下層
２８  帯状感圧性接着下層
２９  帯状第１剥離紙上層
３０  帯状第１感圧性接着上層
３１  下切欠裁断凹部
３２  第１上切欠裁断凹部
３３  帯状第２剥離紙上層
３４  帯状第２感圧性接着上層
３５  第２上切欠裁断凹部
３６  貼着板
３７  書類
【図１】
0004678630.tif 000002
【図２】
0004678630.tif 000003
【図３】
0004678630.tif 000004
【図４】
0004678630.tif 000005
【図５】
0004678630.tif 000006
【図６】
0004678630.tif 000007
【図７】
0004678630.tif 000008
【図８】
0004678630.tif 000009
【図９】
0004678630.tif 000010
【図１０】
0004678630.tif 000011
【図１１】
0004678630.tif 000012
【図１２】
0004678630.tif 000013
【図１３】
0004678630.tif 000014
【図１４】
0004678630.tif 000015
【図１５】
0004678630.tif 000016
【図１６】
0004678630.tif 000017
【図１７】
0004678630.tif 000018
【図１８】
0004678630.tif 000019
【図１９】
0004678630.tif 000020
【図２０】
0004678630.tif 000021
【図２１】
0004678630.tif 000022
【図２２】
0004678630.tif 000023
【図２３】
0004678630.tif 000024
【図２４】
0004678630.tif 000025
【図２５】
0004678630.tif 000026